(57)【要約】【課題】レンズのゲート部がホルダの突出部に配置された場合であっても、レンズが安定して保持され、また、レンズ固定用の接着剤の漏出を防止可能なピックアップ装置用のレンズ及びピックアップ装置を提供する。【解決手段】レンズが、レンズ部の縁部から半径方向外側にフランジ状に突出し外周がレンズの光軸を中心とする円筒面となるように形成されたフランジ部と、フランジ部の外周縁部に形成されたレンズ取り付け面と、フランジ部の一部であってフランジの円筒面の一部がレンズの光軸に向かう方向に窪むように形成された凹部と、レンズのゲートの一部であって凹部の略中央に設けられたゲート根元部とを有し、ゲート根元部は、レンズ取り付け面と同一平面上に形成された平面部を有し、フランジ部の円筒面を凹部に延長した仮想の曲面よりもレンズの光軸側に位置する。【選択図】  図１
2011258254.tif 000002
【特許請求の範囲】
【請求項１】
射出成型によって形成されるピックアップ装置用のレンズであって、
表裏に第１レンズ面及び第２レンズ面が形成された円形のレンズ部と、
前記レンズ部の縁部から、前記レンズ部の半径方向外側にフランジ状に突出し、外周が前記レンズの光軸を中心とする円筒面となるように形成されたフランジ部と、
前記フランジ部の前記第１レンズ面又は第２レンズ面のいずれか一方側の面の外周縁部に形成されたレンズ取り付け面と、
前記フランジ部の一部であって、前記フランジの円筒面の一部が前記レンズの光軸に向かう方向に窪むように形成された凹部と、
前記レンズのゲートの一部であって、前記凹部の略中央に設けられたゲート根元部と、
を有し、
前記ゲート根元部は、前記レンズ取り付け面と同一平面上に形成された平面部を有し、前記フランジ部の円筒面を前記凹部に延長した仮想の曲面よりも、前記レンズの光軸側に位置することを特徴とするピックアップ装置用のレンズ。
【請求項２】
前記凹部は、前記レンズの光軸を中心とする円筒面であること特徴とする請求項１に記載のピックアップ装置用のレンズ。
【請求項３】
前記ゲート根元部の切断面又は切削面は、前記レンズの光軸を中心とする円筒面であることを特徴とする請求項１又は請求項２に記載のピックアップ装置用のレンズ。
【請求項４】
前記ゲート根元部の切断面又は切削面は、前記レンズの光軸に対して平行な平面であることを特徴とする請求項１又は請求項２に記載のピックアップ装置用のレンズ。
【請求項５】
請求項１から請求項４のいずれか一項に記載のレンズと、前記レンズを収容するホルダとを備えた光ディスク用のピックアップ装置。
【請求項６】
前記ホルダは、前記レンズを収容する貫通穴が形成された板状の部材であり、前記貫通穴の内周面には、前記貫通穴の中心軸に向かって突出するフランジ状の突出部が形成され、前記レンズの前記レンズ取り付け面が前記ホルダの前記突出部の上に配置されることによって、前記レンズが前記ホルダに保持されることを特徴とする請求項５に記載のピックアップ装置。
【請求項７】
前記ホルダの前記突出部に隣接する部分には、前記レンズが前記ホルダに収容されたときに、前記レンズのフランジ部の周りに接着剤を注入するための空間ができるように前記ホルダの表面から突出して形成された接着剤受けが形成されており、前記接着剤受けに接着剤が注入されることによって前記レンズが前記ホルダに固定されることを特徴とする請求項６に記載のピックアップ装置。
【発明の詳細な説明】
【技術分野】
【０００１】
本発明は、ピックアップ装置用のレンズ及び該レンズを用いた光ディスクドライブ用のピックアップ装置に関する。
【背景技術】
【０００２】
ＣＤ、ＤＶＤ等の光ディスクから情報を読み取る光ディスクドライブは、ピックアップ装置を有している。ピックアップ装置は、少なくとも一基のレーザ光源と、レーザ光源から出射するレーザ光を光ディスク上に集光させるレンズを有する。
【０００３】
ピックアップ装置に使用されるレンズは、一般的に射出成形によって成形される樹脂成形品である。そのため、成形されたレンズからゲート部を除去する必要がある。ゲート部の除去方法及びゲートが除去されたレンズの従来例としては、特許文献１に示されたものがある。従来構成のレンズの上面図及びＡ−Ａ断面図を、夫々図５（ａ）及び図５（ｂ）に示す。なお、以下の説明においては、図５（ｂ）に基づいて上下方向が定められる。すなわち、レンズ２０１の光軸に沿った方向を上下方向とし、第１レンズ面２１１が形成されている側を「上側」と定義し、第２レンズ面２１２が形成されている側を「下側」と定義する。
【０００４】
図５（ａ）及び図５（ｂ）に示される従来のレンズ２０１は、フランジ部２２０を有する。フランジ部２２０は、上側（ディスク側）の第１レンズ面２１１及び下側（光源側）の第２レンズ面２１２の縁部からフランジ状に突出している。フランジ部２２０の下面２２１の縁端部には、下面２２１に対して上側（すなわち第１レンズ面２１１側）に窪んだレンズ取り付け面２２１ａが形成されている。
【０００５】
また、レンズ２０１のゲート部ｇ０は、フランジ部２２０の外周円筒面２２２から、レンズ２０１の半径方向外側（図５（ａ）において上から下に向かう方向）に向かって延びている。ゲート部ｇ０は、エンドミルをレンズ２０１の半径方向（ゲート部ｇ０からレンズ２０１の中心に向かう方向）及びレンズ２０１の光軸方向の双方に垂直な方向（すなわち、図５の左右方向）に移動させることにより除去される。このとき、ゲート部ｇ０を完全に除去するために、フランジ部２２０の外周円筒面２２２の一部も除去される（Ｄ字カット）。
【０００６】
また、一般に、レンズ２０１はピックアップ装置のホルダに接着剤によって固定されるようになっている。一般的なピックアップ装置のホルダ１０１の上面図を図６（ａ）に、レンズ２０１がホルダ１０１に取り付けられた状態のホルダ１０１のＢ−Ｂ断面図を図６（ｂ）に、夫々示す。
【０００７】
図６（ａ）及び（ｂ）に示されるように、ホルダ１０１は、板状の部材であり、その上面１０２ａから下面１０２ｂに向かって、レンズ２０１を収容するための円形の貫通穴１１１が形成されている。貫通穴１１１の内周円筒面には、貫通穴１１１の中心軸ａｘを中心として１２０°おきに、中心軸ａｘに向かう方向にフランジ状に突出する突出部１２１が形成されている。また、上面１０２ａの各突出部１２１に隣接する部分には、上面１０２ａに対して垂直な方向にコの字状に突出する接着剤受け１３１が形成されている。レンズ２０１をホルダ１０１に取り付ける際は、図６（ｂ）に示されるように、ホルダ１０１の各突出部１２１の上にレンズ取り付け面２２１ａが当接する。
【０００８】
レンズ２０１のレンズ取り付け面２２１ａを、ホルダ１０１の突出部１２１の上に配置した状態では、レンズ２０１のフランジ部２２０の外周円筒面２２２の一部が、ホルダ１０１の接着剤受け１３１と対向し、外周円筒面２２２とコの字状の接着剤受け１３１の内周面１３１ａとの間で接着材用凹部ｓａが形成される。この接着剤用凹部ｓａに、接着剤ａｄを注入して固化させることによって、レンズ２０１はホルダ１０１に固定される。
【先行技術文献】
【特許文献】
【０００９】
【特許文献１】特開２００９−１８１０３３号公報
【発明の概要】
【発明が解決しようとする課題】
【００１０】
上記のように、レンズ２０１は、レンズ取り付け面２２１ａがホルダ１０１の突出部１２１に載ることによってホルダ１０１に保持されるようになっている。しかしながら、図５（ａ）及び（ｂ）並びに
図６（ｂ）に示されるように、Ｄ字カットによってゲート部ｇ０を切除すると、ゲート部ｇ０のみならずその周囲のレンズ取り付け面２２１ａもまた、大きく削られてしまう畏れがある。通常、レンズ取り付け面２２１ａの幅ＷＬ及び突出部１２１の幅ＷＰ（図６）は、レンズ２０１の小型化のために微小な寸法（第１及び第２レンズ面の半径の数分の１程度）とされるため、Ｄ字カットによってレンズ取り付け面２２１ａが大きく削られてしまうと、Ｄ字カットされた部分がホルダ１０１の突出部１２１に位置するようにレンズ２０１がホルダ１０１に配置された場合、ホルダ１０１の突出部１２１によるレンズ２０１の保持ができなくなく可能性がある。また、突出部１２１とフランジ部２２０との間に隙間が生じ、接着剤ａｄがこの隙間から漏出してしまう可能性もある。
【００１１】
本発明は上記の問題を解決するためになされたものである。すなわち、本発明は、レンズのゲートカットされた部分がホルダの突出部に配置された場合であっても、レンズが安定してホルダに保持され、また、レンズ固定用の接着剤の漏出を防止可能なピックアップ装置用のレンズ及びピックアップ装置を提供することを目的とする。
【課題を解決するための手段】
【００１２】
上記の目的を達成するため、本発明の射出成形によって形成されるピックアップ装置用のレンズは、表裏に第１レンズ面及び第２レンズ面が形成された円形のレンズ部と、レンズ部の縁部からレンズ部の半径方向外側にフランジ状に突出し、外周がレンズの光軸を中心とする円筒面となるように形成されたフランジ部と、フランジ部の第１レンズ面又は第２レンズ面のいずれか一方側の面の外周縁部に形成されたレンズ取り付け面と、フランジ部の一部であってフランジの円筒面の一部がレンズの光軸に向かう方向に窪むように形成された凹部と、レンズのゲートの一部であって、凹部の略中央に設けられたゲート根元部とを有し、ゲート根元部は、レンズ取り付け面と同一平面上に形成された平面部を有し、フランジ部の円筒面を凹部に延長した仮想の曲面よりもレンズの光軸側に位置する。
【００１３】
このような構成により、ゲート根元部が上記仮想の曲面からはみ出すことはなく、ホルダの接着剤受けの位置にゲート根元部がくるようにレンズがホルダに取り付けられたとしても、接着剤受けとゲート根元部とが干渉することは無い。また、ゲート根元部の平面部は、レンズ取り付け面と同一平面上に位置しているため、ゲート根元部がホルダの突出部に載った状態であっても、レンズはホルダ上で安定して保持される。また、ゲート根元部がホルダの突出部の位置に配置された状態では、ゲート根元部によって突出部が覆われるため、ホルダとレンズとの間に隙間は生じず、接着剤にてレンズをホルダに接着しても、接着剤が漏出することは無い。
【００１４】
好ましくは、凹部は、レンズの光軸を中心とする円筒面である。
【００１５】
このような構成とすると、レンズ全体をほぼ円形とみなせるため、凹部を設けたことによるレンズの重心位置の変化を極力抑えることが可能となる。
【００１６】
また、ゲート根元部の切断面又は切削面は、レンズの光軸を中心とする円筒面であることが好ましい。
【００１７】
このような構成とすると、レンズに残されるゲート根元部をより大きくとることができ、ゲート根元部がホルダの突出部の位置に配置されたとしても、レンズと突出部との接触面積がより大きく確保される。また、ゲート部の除去に伴うレンズの重心の変化量は小さいものとなる。
【００１８】
また、ゲート根元部の切断面又は切削面は、レンズの光軸に対して平行な平面であることが好ましい。
【００１９】
このような構成とすると、ブレード等によってゲート部の切断を容易に行うことが可能となる。
【００２０】
また、本発明の光ディスク用のピックアップ装置は、上記のいずれかのレンズと、レンズを収容するホルダとを備えたものである。
【００２１】
例えば、ホルダは、レンズを収容する貫通穴が形成された板状の部材であり、貫通穴の内周面には貫通穴の中心軸に向かって突出するフランジ状の突出部が形成され、レンズのレンズ取り付け面がホルダの突出部の上に配置されることによって、レンズがホルダに保持される。
【００２２】
また、ホルダの突出部に隣接する部分には、レンズがホルダに収容されたときに、レンズのフランジ部の周りに接着剤を注入するための空間ができるようにホルダの表面から突出して形成された接着剤受けが形成されており、接着剤受けに接着剤が注入されることによってレンズがホルダに固定される。
【発明の効果】
【００２３】
以上のように、本発明によれば、レンズのゲート部がホルダの突出部に配置された場合であっても、レンズが安定して保持され、また、レンズ固定用の接着剤の漏出を防止可能なピックアップ装置用のレンズ及びピックアップ装置が実現される。
【図面の簡単な説明】
【００２４】
【図１】図１は、本発明の第１の実施の形態に係るレンズの上面図である。
【図２】図２は、本発明の第１の実施の形態に係るレンズの下面図である。
【図３】図３は、図１のＣ−Ｃ断面図である。
【図４】図４は、ランナーから切り離す前のレンズの斜視図である。
【図５】図５（ａ）は、従来構成のレンズの上面図であり、図５（ｂ）は、図５（ａ）のＡ−Ａ断面図である。
【図６】図６（ａ）は、従来構成のレンズが取り付けられる光ディスクドライブ用ピックアップ装置のホルダの上面図であり、図６（ｂ）は、レンズが前記ホルダに取り付けられた状態の図６（ａ）のＢ−Ｂ断面図である。
【発明を実施するための形態】
【００２５】
以下、本発明の実施の形態について図面を用いて詳細に説明する。図１及び図２は、本発明の第１の実施の形態のレンズ１の上面図及び下面図である。また、図３は、図１のＣ−Ｃ断面図である。また、図４は、ランナーから切り離す前のレンズ１の斜視図である。
【００２６】
図４に示されるように、本実施形態においては、複数（図４においては８つ）のレンズ１が、夫々ゲート部ｇを介してランナーｒと一体となった状態で成形されている。そして、ゲート部ｇを交差するように定められた切断面ｃｓにてゲート部ｇを切断することによって、レンズ１の夫々はランナーｒから切断される。従って、ランナーｒからレンズ１を切り取った状態では、ゲート部ｇの一部が、レンズ１に残されている（図１乃至図３の破線部）。
【００２７】
図３に示されるように、本実施形態のレンズ１は、一方（図３中上側）に第１レンズ面１１が、他方（図３中下側）に第２レンズ面１２が、夫々形成されたレンズ本体１０と、レンズ本体１０の縁部から、レンズ１の光軸ａｘＬに直交する面方向にフランジ状に突出するフランジ部２０を有する。そして、フランジ部２０の外周には、光軸ａｘＬを中心とする外周円筒面２２が形成されている。なお、レンズ１がピックアップ装置に取り付けられた状態では、第１レンズ面１１がディスク側となり、第２レンズ面１２が光源側となる。また、以下の説明においては、レンズ１の光軸ａｘＬに沿った方向を上下方向とし、第１レンズ面１１側を「上側」、第２レンズ面１２側を「下側」と定義する。
【００２８】
フランジ部２０の下面２１の縁端部は、下面２１に対して上側に窪み、レンズ取り付け面２１ａが形成されている。
【００２９】
レンズ１のゲート部ｇは、フランジ部２０の外周円筒面２２から、レンズ１の半径方向外側に向かって延びている。また、ゲート部ｇの下面ｇＬとレンズ取り付け面２１ａとは同一平面上に位置し、ゲート部ｇの下面ｇＬは、レンズ取り付け面２１ａに連続して（すなわち、下面ｇＬとレンズ取付面２１ａとの間に段差や傾斜面等が形成されることなく）つながっている。
【００３０】
図６（ａ）に示される従来のピックアップ装置のホルダ１０１にレンズ１を取り付ける際は、レンズ１のフランジ部２０の、第２レンズ面１２側の面２１の外縁部に形成されたレンズ取り付け面２１ａが、ホルダ１０１に設けられた突出部１２１に載せられる。
【００３１】
ここで、ゲート部ｇがレンズ１のフランジ部２０の外周円筒面２２よりも外側に飛び出していると、ゲート部ｇがホルダ１０１の接着剤受け１３１に干渉し、レンズ１の取り付け不良が発生し得る。そのため、接着剤受け１３１とゲートｇが干渉しないようにゲート部ｇを除去する必要がある。後述するように、本実施形態においては、ゲート部ｇは、エンドミル加工又はブレードによる切断によって、フランジ部２０の外周円筒面２２を凹部２２ｃに延長した仮想の曲面ｒｓからはみ出さないように除去される。
【００３２】
本実施形態のレンズ１には、フランジ部２０の外周円筒面２２の、ゲート部ｇ周辺（図１、図２）の部分に、凹部２２ｃが形成されている。凹部２２ｃは、レンズ１を上側から見たときに、フランジ部２０の外周円筒面２２の一部がレンズ１の光軸ａｘＬに向かう方向へ窪む形状を有している。ゲート部ｇは、凹部２２ｃの略中央に形成される（図１）。凹部２２ｃの底部（レンズ１を上側から見て最も窪んだ部分）は、レンズ１の光軸ａｘＬを中心とする、外周円筒面２２よりもわずかに小径の円筒面となっている。なお、凹部２２ｃを第２レンズ面１２側（下側）から見た場合の凹部２２ｃの窪み量（底部の位置）はレンズ取り付け面２１ａの範囲内である。そして、凹部２２ｃの円筒面周方向に沿った凹部２２ｃの両端部分は、外周円筒面２２となだらかにつながっている。上記のように、凹部２２ｃの窪み量が微小であり、且つ凹部２２ｃの底部が円筒面であるため、レンズ１の重心の位置は、凹部２２ｃを設けない従来構成と殆ど変わらない。
【００３３】
また、上記のように、本実施形態のレンズ１のゲート部ｇは、凹部２２ｃの略中央に形成されているため、レンズ１のゲート部ｇの長さは、従来のレンズ２０１のゲート部ｇ０の長さよりも凹部２２ｃの窪み量に相当する分だけ長くなる。従って、ゲート部ｇをエンドミル又はブレードよる切断によって除去する際、レンズ本体１０に近い位置でゲート部ｇのみを除去することが可能となる。
【００３４】
また、本実施形態においては、ゲート部ｇの根元部分ｇＲを残すようにゲート部ｇを除去している。すなわち、エンドミル加工又は切断によってゲート部ｇを除去する工程において、ゲート部ｇを完全には除去せず、ゲート部ｇの根元部分ｇＲが外周円筒面２２を凹部２２ｃに延長した仮想の曲面ｒｓの内側（すなわち、曲面ｒｓよりも光軸ａｘＬ側）に残存するようにゲート部ｇを除去している。このように、ゲートｇの根元部分ｇＲが仮想の曲面ｒｓからはみ出さない、根元部分ｇＲが換言すれば凹部２２ｃと曲面ｒｓによって規定される空間内に収まる程度にゲートｇが除去されるため、接着剤受け１３１の位置にゲート部ｇの根元部分ｇＲがくるようにレンズ１がホルダ１０１に取り付けられたとしても、接着剤受け１３１とゲート部ｇの根元部分ｇＲとが干渉することはない。
【００３５】
また、上述のように、ゲート部ｇの下面ｇＬは、レンズ取り付け面２１ａと同一平面上に位置している。そのため、ゲート部ｇの根元部分ｇＲがホルダ１０１の突出部１２１に載った状態であっても、レンズ１はホルダ１０１上で安定して保持される。また、ゲート部ｇの根元部分ｇＲがホルダ１０１の突出部１２１の位置に配置された状態では、根元部分ｇＲによって突出部１２１が覆われるため、突出部１２１とレンズ１との間に隙間は生じず、根元部分ｇＲと接着剤受け１３１の内周面１３１ａとの間に形成される接着材用凹部ｓａ（図６）に接着剤ａｄを注入したとしても、接着剤ａｄが漏出することも無い。
【００３６】
なお、上述のように、本実施形態のレンズ１のゲート部ｇの根元部分ｇＲは、仮想の曲面ｒｓの内側で、かつ、レンズ取り付け面２１ａの範囲内に位置すれば良いこととなるが、ゲート部ｇを除去する際に根元部分ｇＲに発生するバリを考慮し、このバリを含めた根元部分ｇＲが仮想の曲面ｒｓの内側となる範囲で、出来る限り根元部分ｇＲを大きく残すことが好ましい。
【００３７】
本実施形態は、ゲート部ｇのみを切削又は切断してゲート部ｇを除去するものであり、レンズ１の他の部分（フランジ部２０及びレンズ本体１０）は、切削も切断もされない。換言すれば、本実施形態においては、寸法の比較的小さいゲート部ｇのみが切断又は切削される。そのため、本実施形態のレンズ１は、エンドミル加工のような比較的寸法の大きい物体を切削する手段を用いる必要は必ずしもなく、ブレードによる切断など、他の切断又は切削の為の手段を使用して、ゲート部ｇを除去することができる。また、ゲート部ｇ以外に不必要な応力が加わることがなく、フランジ部２０及びレンズ本体１０に割れやひびを発生することなく、ゲート部ｇを正確に除去することが可能となる。
【００３８】
また、本実施形態においては、ゲート部ｇは、その切断又は切削面がレンズ１の光軸ａｘＬを中心とする円筒面となるように切断又は切削される。このような構成とすると、ゲート部ｇの根元部分ｇＲをより大きく残すことができ、ゲート部ｇの根元部分ｇＲがホルダ１０１の突出部１２１の位置に配置された状態では、レンズ１のレンズ取り付け面２１ａと突出部１２１の接触面積がより大きく確保される（レンズ１をホルダ１０１により接着しやすくなる）。また、ゲート部ｇの根元部分ｇＲをより大きく残すことができる為、ゲート部ｇの除去に伴うレンズ１の重心の変化量を小さく抑えることが可能となる。ただし、本発明は上記構成に限定されるものではなく、ゲート部ｇを直線状に切断又は切削する、すなわち、光軸ａｘＬに垂直な面とゲート部ｇの軸方向の双方に垂直な切断面又は切削面が形成されるようにゲート部ｇの切断又は切削を行う構成も又、本発明に含まれる。
【００３９】
また、本実施形態においては、フランジ部２０の下面２１の縁端部にレンズ取り付け面２１ａが形成されているとして説明したが、本発明はこの構成に限定されるものではなく、フランジ部２０の上面側（第１レンズ面１１側）の縁端部にレンズ取り付け面２１ａが形成されていてもよい。この場合、第１レンズ面１１側が下側となり、ホルダ１０１に取り付けられる。
【符号の説明】
【００４０】
１    レンズ
２０    フランジ部
２１ａ  レンズ取り付け面
２２    外周円筒面
２２ｃ  凹部
１０１    ホルダ
１２１    突出部
ｇ    ゲート部
【図１】
2011258254.tif 000003
【図２】
2011258254.tif 000004
【図３】
2011258254.tif 000005
【図４】
2011258254.tif 000006
【図５】
2011258254.tif 000007
【図６】
2011258254.tif 000008